(57)【要約】【課題】  ベイクアウトに適した温風発生装置を提供する。【解決手段】  ハウジング３と、この内部に配置された燃焼室５とを有し、燃焼室５から出力された燃焼ガス７１と燃焼室５をバイパスした外気７２とをハウジング３の前方３ａの風路３９で混合して大量の温風７３として出力する際に、風路３９の前方に、その断面全域をほぼカバーするように設置された多孔性の触媒ユニット３０を設け、温風７３の全体を触媒ユニット３０を通過させるようにした温風発生装置１を提供する。温風７３の全体を触媒ユニット３０を通すことにより、温風７３により触媒ユニット全体を加熱すると共に、温風７３に含まれるホルムアルデヒド等のＶＯＣ７９を効率良く分解・除去できる。【選択図】        図２
2004317107.tif 000002
【特許請求の範囲】
【請求項１】
ハウジングと、このハウジングの内部に配置された燃焼室とを有し、前記燃焼室から出力された燃焼ガスと前記燃焼室をバイパスした外気とを前記ハウジングの前方の風路で混合して温風として出力する温風発生装置であって、
前記温風が通過する前記風路の前方の断面全域をほぼカバーするように設置された多孔性の触媒ユニットを有する温風発生装置。
【請求項２】
請求項１において、前記触媒ユニットと対面する位置に、前記燃焼室における燃焼により加熱されて輻射熱を発する輻射板を有する温風発生装置。
【請求項３】
請求項２において、前記輻射板は多孔性である温風発生装置。
【請求項４】
請求項１において、前記燃焼室およびハウジングはほぼ円筒型で同軸状に配置されている温風発生装置。
【請求項５】
請求項１において、前記触媒ユニットの上流に圧力を逃がす用のダンパを有する温風発生装置。
【請求項６】
請求項１において、前記触媒ユニットは、前記ハウジングに対して着脱可能である温風発生装置。
【請求項７】
建物内に請求項１に記載の温風発生装置を設置し、前記建物内に前記触媒ユニットを通過した温風を循環させることにより、前記建物内で発生する揮発性有機化合物を除去する工程を有する揮発性有機化合物の除去方法。
【請求項８】
地面の上方を密閉型のテントで覆う工程と、
前記テント内の空気を、請求項１に記載の温風発生装置により吸引し、前記テント内の空気を、前記触媒ユニットを介して出力する共に、前記テント内に外気を取り入れる工程とを有する土地の浄化方法。
【請求項９】
地面の上方を覆う密閉型のテントと、
前記テント内の空気を吸引するように取り付けられた請求項１に記載の温風発生装置とを有し、
前記テント内の空気が前記触媒ユニットを介して出力され、前記テント内に外気が取り入れられる土地の浄化システム。
【発明の詳細な説明】
【技術分野】
【０００１】
本発明は、燃焼ガスと外気を混合して大量の温風を供給することができる温風発生装置に関するものである。
【背景技術】
【０００２】
液体燃料などを燃焼して温風を発生する温風発生装置が知られている。図７に、温風発生装置の一例を示してある。この温風発生装置９０は、燃料タンク２の上に、温風を発生するほぼ筒状のハウジング３が設置されており、その中に筒状の燃焼室５が設けられている。燃焼室５の後端には燃焼用のバーナ８が配置され、前端には炎止め１８が装着されている。燃料タンク２の燃料７０は、サクションパイプ１３、燃料ポンプ１１を介してバーナ８に供給され燃焼室５で燃焼され、燃焼ガス７１が燃焼室５の前端からハウジング３に出力される。この燃焼ガス７１がハウジング３の前方において、燃焼室５とハウジング３との間の供給通路４を通ってハウジング３の前方３ａに供給された外気７２と混合され、温風７３となり、吹出し口６から外部に吹き出される。
【０００３】
燃焼室５の後端には、バーナ８から噴霧された燃料を点火するための点火棒１６と燃焼空気を供給するブロワー１０が配置されている。また、燃焼室５の上流となるハウジング３の後方には、燃焼用空気と外気とを供給するための送風ファン１２が設置され、ブロワー１０と共通のモータ１７により駆動されるようになっている。
【０００４】
この温風発生装置９０においては、ハウジング３の内部に火炎燃焼に適した形状の燃焼室５が設けられ、バーナ８によって霧状に吹き出された液体燃料がブロワー１０から供給される適当な空気過剰率の燃焼空気と混合され、最適な条件で火炎燃焼１９が行われるようになっている。その結果得られる高温の燃焼ガス７１と、ハウジング３を通して前方に供給された外気７２とを混合することにより温風を生成する。したがって、燃料は燃焼室５において最適な条件で燃焼させることができるので、一酸化炭素（ＣＯ）あるいは炭化水素（ＨＣ）などの人体に有害な成分の発生も非常に少なく、高温の燃焼ガス７１を外気７２と混合することにより適当な温度のクリーンな温風７３を大量に供給することができる。さらに、ハウジング３の中に燃焼室５が収納されているので燃焼室５が高温になっても安全である。また、温風を生成するための外気７２を、燃焼室５とハウジング３との間の供給通路４を通ってハウジング３の前方６に供給するので、外気７２により、ハウジング３を冷却でき、燃焼室５から放出される熱を回収することができる。したがって、安全であると共に温風の発生効率も高く、工場内の暖房、食物の乾燥など多種多様な用途に用いられている。
【特許文献１】特開平１１−２０１４１１号公報
【発明の開示】
【発明が解決しようとする課題】
【０００５】
近年、建築現場などにおいてベイクアウトに要する手間と期間が大きな問題となっている。ベイクアウトとは、建築物に使用される建材などに含まれているホルムアルデヒドなどの揮発性の化学物質、つまり揮発性有機化合物（ＶＯＣ）は、シックハウス症候群等の原因となるので、建築中あるいは建築後の建物内の温度を上げて強制的に放出することを言う。このため、建物内を適当な方法で暖めて、例えば、２５℃以上にし、ＶＯＣを建材などから揮発させ、その後、室内を換気することにより大気中に発散（放散）させる。そのような工程を繰り返すことにより、建築物中のＶＯＣの残量を減らし、建築を安全に利用できるようにしている。ＶＯＣを揮発させるためには室温を上げることが望ましいが、建築直後の建物の室温を上げすぎると建築材から急激に水分が蒸発し、ゆがみや結露などの要因となり好ましくない。したがって、限られた範囲に建物内の温度を上昇してＶＯＣを揮発させて、換気するという工程を数多く繰り返す必要があり、非常に手間と時間のかかる作業となる。さらに、加熱を繰り返すエネルギも大きい。
【０００６】
そこで、本発明では、ベイクアウトの手間および時間を大幅に軽減することができる装置およびＶＯＣの除去方法を提供することを目的としている。
【課題を解決するための手段】
【０００７】
従来の換気によりＶＯＣの濃度を低下する方法は、ＶＯＣを拡散させたに過ぎず、抜本的な解決になっていない。ＶＯＣは高温で分解されるので、燃焼用空気としてＶＯＣを含む外気を利用してＶＯＣを分解することも可能である。しかしながら、室内のＶＯＣを除去するためには室内の空気を大量に循環する必要があるが、そのような大量の燃焼用空気を消費する効率的な方法がない。室内を加温するために燃焼装置などを用いることも可能であるが、室温の上げすぎが好ましくないことは上述した通りである。また、ベイクアウトという一時的な処理のために大型の燃焼装置を設置することは経済的ではない。
【０００８】
ＶＯＣは触媒反応によっても除去することが可能である。しかしながら、触媒とＶＯＣを反応させるためには触媒を適当な温度に加熱する必要があり、さらに、その触媒にＶＯＣを含む大量の空気を循環させる必要がある。
【０００９】
そこで、本発明においては、大量の温風を発生させ、その温風を触媒を通して供給することにより、温風により触媒を加熱して触媒反応を促進させ、大量の温風を触媒反応させることにより室内のＶＯＣを効率良く除去し、さらに、出力される温風により室内を加熱してＶＯＣの揮発を促進しながらＶＯＣを除去する方法を提供する。
【００１０】
そのため、本発明においては、ハウジングと、このハウジングの内部に配置された燃焼室とを有し、燃焼室から出力された燃焼ガスと燃焼室をバイパスした外気とをハウジングの前方の風路で混合して温風として出力する温風発生装置であって、温風が通過する風路の前方の断面全域をほぼカバーするように設置された多孔性の触媒ユニットを有する温風発生装置を提供する。この温風発生装置は、燃焼室においてほぼ完全燃焼された燃焼ガスと、燃焼室をバイパスする外気とをハウジングの前方で混合することにより大量の温風を効率良く発生させることができる。そして、温風が通過する風路の前方に多孔性の触媒ユニットを設置し、風路の断面全域をほぼカバーすることにより、大量の温風により触媒ユニットの全体をほぼ均等に加熱すると共に、大量の温風のほぼ全部を効率良く触媒に接触させた後に出力することができる。したがって、この温風発生装置を建物内に配置して稼動させることにより、建物内に、活性化された状態の触媒ユニットを通過した温風を循環させることができ、建物内で発生する揮発性有機化合物（ＶＯＣ）を効率良く除去できる。
【００１１】
したがって、本発明のＶＯＣを除去する方法を採用することにより、加熱と換気を繰り返さなくても、温風発生装置を建物内に設置して稼動させるだけで建物内のＶＯＣを効率良く短時間に除去でき、ベイクアウトを手軽に短時間で終えることができる。さらに、換気によりＶＯＣを屋外に拡散するのではなく、触媒反応により分解除去するので、建物の周囲の環境に対する悪影響も未然に防止できる。また、本発明のＶＯＣを除去する方法においては、本発明に係る温風発生装置を建物内に設置して稼動するだけで良いので、極めて経済的である。
【００１２】
この温風発生装置においては、燃焼ガスとハウジング内を通過した外気とがほぼ混合されて温風になった状態で触媒ユニットと接触するようにしている。したがって、触媒ユニットは温風により全体が加熱されて活性化されるので、触媒ユニット全体を用いて温風に含まれるＶＯＣを除去できる。このため、反応面積が大きく、除去効率が高い。燃焼室からは燃焼ガスと共に燃焼に伴う輻射熱もハウジング内に出力される。したがって、輻射熱によっても触媒ユニットが加熱される。
【００１３】
そこで、触媒ユニットと対面する位置に、燃焼室における燃焼により加熱されて輻射熱を発する輻射板を設けることが有用である。燃焼室内の燃焼による熱輻射は、燃焼室をガイドとして出力されるためにある程度の指向性があり、触媒ユニットの限られた領域に影響を及ぼしやすい。これに対し、触媒ユニットと対面する位置に輻射板を配置することにより、触媒ユニットと輻射板との間に輻射熱を遮るものがなくなる。したがって、燃焼室の前方の触媒ユニットに近い位置で、それに対面するように輻射板を配置すると、そこからの輻射熱が触媒ユニット全体に放射され、触媒全体を均等に加熱される。このため、触媒の温度ムラを無くすことができ、さらに過熱（オーバヒート）による触媒の揮散と、加熱不足による触媒の不活性化を防ぎ、性能の維持と処理効率の向上とを両立できる。すなわち、燃えきり性を向上でき、燃焼室内を高温にして完全燃焼させ、同時にＶＯＣ処理効果も向上できる。
【００１４】
この輻射板は、燃焼室の火炎燃焼の輻射熱により加熱される部材であれば良く、形状は特に問わない。しかしながら、燃焼ガスの流通が良く、火炎燃焼からの輻射熱により加熱しやすい輻射板は、燃焼室の前方に設けられた、パンチングメタルやセラミックの多孔性のものである。このような輻射板であると、さらに炎止めを兼ねることができ、燃焼室における燃焼効率の向上にも寄与する。
【００１５】
燃焼室およびハウジングは、ほぼ円筒型で同軸状に配置されることが望ましい。同軸状に配置することで、燃焼室をバイパスする空気（外気）は、燃焼室の外側をほぼ均等に通過するので、外気の温度も均一になり、触媒ユニットの直前で混合される温風の温度分布が均等になり易く、触媒ユニットのＶＯＣ分解・除去などの処理効率も向上する。さらに、外気が燃焼室の外側をほぼ均等に通過することにより、外気は燃焼室により加熱され、また、外気はハウジングを冷却する。したがって、熱効率が向上し、安全性も向上する。
【００１６】
風路の前方の断面全域をほぼカバーするように多孔性の触媒ユニットを設置することにより、温風発生装置の出力によってはハウジング内の圧力が上昇し、そのため燃焼室の圧力が上昇することにより燃焼が不安定になったり、燃えきり性が低下する可能性がある。したがって、触媒ユニットの上流、すなわち、触媒ユニットの燃焼室側に圧力を逃がし用のダンパを設け、ハウジング内の圧力調整が可能なようにすることも有効である。
【００１７】
本発明の温風発生装置においては、触媒ユニットは、温風が通過する風路の前方に設置され、その位置は、ハウジングの吹出し口あるいはその近傍になる。したがって、温風発生装置の他の部品に干渉せずに触媒ユニットを容易に着脱できる。また、触媒ユニットを着脱可能とすることにより、ＶＯＣの除去が必要ない場合は触媒ユニットを取り外して温風発生装置として利用することができる。また、水分やその他の物質により触媒ユニットが汚染されてＶＯＣの除去効率が低下したときは、簡単に交換できる。
【００１８】
さらに、本発明の温風発生装置は、室内のＶＯＣの除去に限らず空気を浄化して出力する様々な用途に使用できる。工業跡地や産業廃棄場には、土壌が汚染されている地域があり、そのような地域は汚染された土壌を入れ替えないと他の目的に利用できない。土壌の入れ替え作業は、掘削する地面の上方にほぼ密閉型のテントを設置し、その中で行われる。隣接した土地に汚染された土壌が散逸しないようにするためであり、また、汚染された土地を掘削する際に、汚染された土壌から放出されたベンゼンやトリクレン等の有害ガス成分により、周囲の空気が汚染されにくいようにするためである。このため、作業員は密閉されたテント内で、ガスマスクを着けて作業を行う必要があり重労働となる。また、テントで密閉したとしても完全に土地の上部を密閉することは不可能なので、有害なガス成分は周囲に漏出することになる。
【００１９】
そこで、本発明においては、地面の上方を覆う密閉型のテント内の空気を吸引するように本発明の温風発生装置を取り付け、テント内の汚染された空気が温風発生装置を介して出力され、代わりにテント内に外気が取り入れられるようにする土地の浄化システムを提供できる。汚染された地面の上方を密閉型のテント（被覆部材）で覆った後、このテント内の空気を、本発明の温風発生装置により吸引し、テント内の汚染された空気を、温風発生装置の触媒ユニットを介して出力すると共に、テント内に外気を取り入れることにより、テント内の有害ガスにより汚染された空気を本発明の温風発生装置により浄化して外界へ放出できると共に、外界のフレッシュな空気をテント内に供給することができる。このため、テント内の作業環境を改善でき、作業員の労力を軽減できる。
【００２０】
さらに、本発明の温風発生装置は、第１に吸引した空気を燃焼することにより浄化し、第２に燃焼に供されなかった吸引した空気を燃焼ガスと共に触媒ユニットを通過させることにより浄化し、その後、外界に放出する。したがって、有害ガスおよびそれに汚染された空気を浄化して放出することができ、周囲への汚染を未然に防止でき、それと共にテント内の換気を可能にして作業員の労力を軽減できる。このように、本発明の温風発生装置は高い浄化性能を備えているので、必ずしも温風が要求されない目的であっても、顕著な効果を得ることができる。
【発明の効果】
【００２１】
以上に説明したように、本発明の温風発生装置は、燃焼ガスと外気とが混合して大量の温風を出力できると共に、それらの大量の温風を吹出す前に触媒ユニットを通過させることにより、触媒ユニットを加熱し、また、それらの大量の温風から触媒反応によりＶＯＣを除去できるようにしている。したがって、本発明の温風発生装置を建物の内部に設置して稼動させることにより、建材などからＶＯＣを効率良く揮発させ、それを簡単に除去することが可能となり、手間と時間のかかるベイクアウトの作業を、低コストで短時間に行うことが可能となる。
【００２２】
さらに、本発明の温風発生装置は、極めて効率的に吸引した汚染空気を浄化できるので、土地の上方をテントで覆い、その中で汚染された土壌を取り除く作業を行う際に、テント内の空気を浄化して放出することによりテント内の換気を可能にする。したがって、周囲に汚染が拡大することを防ぎながら土壌の改修作業に従事する作業員の環境を改善でき、土地の浄化作業を、低コストで安全に、さらに短時間で行うことができる。
【発明を実施するための最良の形態】
【００２３】
図１に、本発明に係る温風発生装置を用いて建物内のＶＯＣを除去する概要を示してある。また、図２に、本発明の温風発生装置の概要を示してある。本例の温風発生装置１は、温風を発生するほぼ筒状のハウジング３の内部に、ハウジング３の中心軸Ｌに対して筒状の燃焼室５が同軸状に組み合わされている。そして、燃焼室５から出力された燃焼ガス７１が、燃焼室５をバイパスした外気７２とハウジング３の前方の風路３９で混合して温風７３となり、風路３９の前方の吹出し口６の全域をほぼカバーするように設置された多孔性の触媒ユニット３０を通して吹出すようになっている。したがって、この温風発生装置１においては、吹出される温風７３のほぼすべてが多孔性の触媒ユニット３０を通過し、触媒ユニット３０を温風７３で加熱して活性化すると共に、ほぼ全ての温風７３が活性化された触媒ユニット３０を通過し、それに含まれたＶＯＣなどの不純物が除去された状態の温風７３が供給される。
【００２４】
したがって、図１に示すように、本例の温風発生装置１を、新築や改装した体育館や家屋などの建築物６０の室内６２に設置し、稼動させることにより、建物内６０に触媒ユニット３０を通過した温風７３を循環させることができる。このため、室内６２を温風７３で加熱して、壁や床等の建材６１からホルムアルデヒド等のＶＯＣ（揮発性有機化合物）７９の揮発を促進させ、発生したＶＯＣ７９を含む外気７２の全てを触媒ユニット３０を通して循環させることにより、建物６０の内部で発生したＶＯＣを効率良く、経済的に除去できる。
【００２５】
図２を参照しながら、本例の温風発生装置１をさらに説明する。本例の温風発生装置１は、ハウジング３の前方３ａの吹出し口６に、その断面をほぼ覆うように、円盤状で多孔性の触媒ユニット３０が設けられている。また、ハウジング３の内部に、ハウジング３とほぼ同軸Ｌに設置された筒型の燃焼室５の前方５ａにＳＵＳ製のパンチングメタル等による多孔性の輻射板４０が、触媒ユニット３０と対面するように取り付けられている。したがって、燃焼室５の内部で、その後端５ｂに配置されたバーナ８で噴霧された油などの燃料７０が火炎１９を作りながら燃焼すると、燃焼ガス７１が輻射板４０を介してハウジング３の風路３９に出力されると共に、燃焼ガス７１の熱と火炎燃焼１９からの輻射熱により輻射板４０が高温になる。本例の輻射板４０は多孔性で炎止めを兼ねており、燃焼室５における燃えきりを促進すると共に、燃焼室５からハウジング３へ火炎１９が露出するのを防止している。
【００２６】
燃焼室５から出力された燃焼ガス７１は、ハウジング３の後方のファン（送風機）１２によりハウジング３の内部に供給され、ハウジング３と燃焼室５との隙間４を介してハウジング３の前方の風路３９に供給された外気７２と、ハウジング前方の風路３９で混合され温風７３となる。この温風７３は、さらに、風路３９の前方の触媒ユニット３０に到る。触媒ユニット３０は、風路３９の前方の温風７３が通過する断面全域をほぼカバーするように配置されているので、全ての温風７３が一旦、触媒ユニット３０と接触し、触媒ユニット３０を加熱すると共に、触媒ユニット３０が担持する触媒作用を受けてから外部に出力される。
【００２７】
触媒ユニット３０は、白金、パラジウム、ルテニウム等を含む触媒そのものであっても良いが、多く場合は、そのような触媒が、ハニカム構造あるいは他の多孔構造の金属あるいはセラミックの担体に担持されたものである。このため、この触媒ユニット３０を、ＶＯＣ７９を含む外気７２を加熱した温風７３が通ると、触媒作用により温風７３に含まれるＶＯＣ７９が分解除去され、クリーンな温風７３として、吹出し口６から放出される。そして、触媒ユニット３０は、風路３９の全面をカバーしているので、ハウジング３内を流れる気体、すなわち、燃焼ガス７１と外気７２が混合した温風７３の全てが、一旦、触媒ユニット３０を通り、ＶＯＣ等などの有害な不純物が除去された後に外界へ吹出される。したがって、本例の温風発生装置１は、大量の外気７２を取り入れて大量の温風７３を効率良く発生することができると共に、その温風７３により触媒ユニット３０の全体を効率良く加熱し、加熱された触媒ユニット３０にすべての温風７３を接触させることにより、効率良くＶＯＣ７９が除去された大量の温風７３を出力することができる。このため、大量の温風を循環させることによりＶＯＣの除去対象の室内を効率良く加温できると同時に循環する温風からＶＯＣを効率良く除去し、建物のベイクアウトを極めて効率良く、短期間に、低コストで行うことができる。
【００２８】
さらに、本例の温風発生装置１では、触媒ユニット３０は、対面するように配置された多孔性の輻射板４０からの輻射熱により加熱され、いっそう効率良く触媒ユニット３０の全体の温度が上がるようになっている。すなわち、燃焼室５の火炎燃焼により加熱された輻射板４０を介して、輻射板４０からの輻射熱により触媒ユニット３０が加熱され、輻射板４０と触媒ユニット３０との間には、燃焼室５のような障害物はない。したがって、輻射板４０からの輻射熱はほぼ均等に触媒ユニット全体に照射され、触媒ユニット３０の全体を３００℃程度の触媒反応に適した活性温度に保てる。これにより、触媒ユニット３０が温風７３と接触する全体の処理能力を向上でき、広い面積で効率良く温風７３に含まれるＶＯＣ７９を除去できる。また、触媒が局部的に加熱されオーバヒートして傷損することも防止できる。
【００２９】
燃焼室５のようなハウジング３の内部の限られた領域で燃焼させずに、ハウジング３の内部で直に火炎燃焼１９を発生させれば、触媒ユニット３０の全体を火炎燃焼１９の輻射熱により加熱することは容易である。しかしながら、大量の温風７３を発生させようとすると、燃料量に対して適度な燃焼空気を供給することができず、適当な燃焼を維持できないか、大量の空気を供給できないかのいずれかとなる。これに対し、燃焼室５で燃焼させた後に燃焼ガス７１と外気７２とを混合することにより、そのような問題はなく、大量の温風７３を出力できる。さらに、ハウジング３の内部で直に火炎燃焼１９したのではハウジング３が高温となり危険で商品化が難しいが、燃焼室５を配置することによりそのような問題も回避できる。そして、本例の温風発生装置１においては、燃焼室５の前方５ａに輻射板４０を配置することにより、火炎燃焼１９による熱により、燃焼室５より大きな断面積の触媒ユニット３０の全体を輻射熱によりほぼ均等に加熱することができ、安全に大量の温風７３を発生させ、それを断面積の大きな触媒ユニット３０により通して効率的にＶＯＣを除去できるようにしている。
【００３０】
また、燃焼室５においては、ハウジング３と分離して完全燃焼が行われる条件が生成されるので、外気７２の内、燃焼用空気として燃焼室５に供給された空気に含まれるＶＯＣを効率良く除去することができる。さらに、輻射板４０が炎止めとなって燃焼室５の温度を高温に保ち、燃えきり性を向上するなど、燃焼室５における燃焼条件を改善するので、燃焼室５におけるＶＯＣの除去効率も向上する。一方、燃焼を開始したり、停止したり、負荷変動させるときに、燃焼室５における燃焼が一時的に不安定になったときに未燃焼成分が発生しても、ハウジング３の風路３９に設けられた触媒ユニット３０によりそのような未燃焼成分も除去することができる。
【００３１】
図３に、本発明の異なる温風発生装置の例を示してある。本例の温風発生装置１ａは、上記にて説明した温風発生装置１とほぼ同様な構成であり、さらに、触媒ユニット３０の上流、すなわち、触媒ユニット３０の燃焼室５の側にハウジング３の内圧を逃がすことができるダンパ５０が設けられている。触媒ユニット３０は、多孔性であり、圧力損失が小さいが温風発生装置１の出力を増して出力される温風７３の量が大きくなった場合には、触媒ユニット３０における圧力損失によりハウジング３の内圧が上昇し、その結果、燃焼室５の内圧も上昇することにより適当な量の燃焼用空気を燃焼空気用のファン１０で供給できなくなる可能性がある。触媒ユニット３０の近傍にダンパ５０を設けることにより、ハウジング３の内圧を調整することが可能であり、ハウジング３の内圧が高くなって燃焼室５の燃焼が不安定になった場合には、内圧を下げて燃焼の安定を図ることができる。
【００３２】
さらに、本例の温風発生装置１ａでは、触媒ユニット３０と燃焼室５との間に、これらと対面するように、多孔性の整流板４４が設けられている。この整流板４４は、周辺部４４ａが前方に凸のコーン状であり、中心部４４ｂが後方に凸のコーン状になっている。したがって、整流板４４は、燃焼室５の外側をバイパスした外気７２を燃焼室前方の風路３９の中央付近に導き、燃焼空気７１とさらに効率良く混合させ、温度が均一化した温風７３が得られるようにしている。
【００３３】
また、本例の燃焼室５の出口５ａには、ネットなどの開口率の大きな炎止め４３が配置されており、燃焼室５の輻射熱により整流板４４を加熱して、整流板４４を輻射板として機能させるようになっている。逆に、整流板４４の開口率を上げることにより、燃焼室５の出口５ａに輻射板を配置することも可能である。
【００３４】
図４に、本発明のさらに異なる温風発生装置の例を示してある。本例の温風発生装置１ｂは、燃焼室５の出口５ａに前方に凸の傘状あるいはコーン状の整流板４５が設けられており、燃焼ガス７１を風路３９の周辺方向に導いて外気７２と混合されやすいようにしている。さらに、ハウジング３の内側には、外気７２を風路３９の中心付近に導く整流板４６も設けられており、燃焼ガス７１と外気７２とが一層、混合しやすい環境を作っている。また、燃焼室５の出口５ａには、傘状の整流板４５が配置されているだけであり、この整流板４５が炎止めおよび輻射板としての機能も兼ね備えている。
【００３５】
また、本例の温風発生装置１ｂの触媒ユニット３０は、ハウジング３の前方３ａに対して着脱できるようにハウジング３の外側に広がったソケット状の部分３５を備えている。このため、触媒ユニット３０が損傷したり、水分などがついて触媒の性能が低下したときは交換したり、取り外して清掃するなどのメンテナンスが容易である。また、触媒ユニット３０が不要なときは、取り外し、大量の温風を供給する温風発生装置として使用することも可能である。
【００３６】
さらに、上述した温風発生装置１は、本発明の一例であり、これらに限定されるものではない。たとえば、送風ファン１２やバーナの配置などは本例のように燃焼室やハウジングと同軸に配置されているものに限らず、送風ファンがハウジングの上方、あるいは下方に設置されていても良い。また、燃焼ファンと送風ファンとが完全に独立させることも可能である。
【００３７】
また、本発明の温風発生装置１は、吸引した空気を、燃焼と加熱した触媒ユニットの両方で浄化して出力するという高い浄化能力を備えているので、その浄化能力と換気能力を最大限に活かし、必ずしも温風が必要とされない目的で使用することができる。
【００３８】
図５は、その一例であり、汚染された土地を浄化する浄化システム８０に本例の温風発生装置１を適用している。図６は、浄化システム８０に適用された温風発生装置１の周辺を拡大して示してある。
【００３９】
土地の浄化システム８０の一部を構成する温風発生装置１は、図１および図２で説明したものであり、温風発生装置１により空気を循環させるのではなく、土地の上方を覆うテント８１の内部の空気を浄化しながら放出し、新鮮な外気をテント８１に導いてテント８１の内部を周囲に汚染を広げることなく換気することができる。
【００４０】
工場跡地などにおいて土壌が汚染されていることが認められると、その汚染された土地８９の土壌を入れ替える必要がある。この際、汚染された土壌をショベルカー等の重機８５により掘削すると、土壌内のベンゼンやトリクレン等の有害ガス７９aが空気を汚染し、汚染された空気が周囲に広がると周囲の工場、オフィス、住宅などの住人に悪影響を与える。また、土地８９を掘削する際に汚染された土壌が飛散すると、汚染が拡大してしまう恐れがある。
【００４１】
このため、先ず、適当な範囲の汚染された地面８９の上方をドーム状のテント８１で覆って密閉し、その中で重機８５を用いて掘削作業が行われる。従来は、テント内の換気を行うと汚染された空気が周囲に放出されてしまうためにテント内の換気を行うこともできず、ガスマスクを着けて作業員は重機を操作している。これに対し、本例の浄化システム８０においては、温風発生装置１によりテント８１の一方の口８３と温風発生装置１の吸引側をダクト８４により接続し、テント８１内部の空気７８を吸引して一部を燃焼用空気として使用すると共に、燃焼用空気の数倍の空気を吸引して触媒ユニット３０を通過させることにより浄化して出力する。このため、テント８１の内部を高い効率で換気することができ、テント８１の他方の口８２から大量の新鮮な外気７２をテント８１に引き込むことができる。したがって、テント８１の内部の汚染された空気を外界に影響を与えない状態で換気することができ、作業員８６はガスマスクを着けなくても作業できる程度の環境に維持することができる。
【００４２】
この際、温風発生装置１の吸引側には、ミクロンサイズのメッシュ状のステンレス鋼線などで形成されたダストフィルタ５８、例えば、日本精線株式会社製のメタルガスフィルタを取り付け、掘削に伴う砂利などが同時に吸引され送風ファン１２等にダメージを与えないようにすることが望ましい。
【００４３】
このように、本発明の温風発生装置１は、大量の空気を吸引し、それを燃焼および触媒により浄化し、吸引した空気に含まれた揮発性有機化合物（ＶＯＣ）を除去し、温風７３として放出できる。特に、吸引した大量の空気が必ず触媒ユニット３０を通過するようになっているのでＶＯＣの除去効率は高く、温風とＶＯＣの除去の両方の機能が必要な場面で大変に有効であると共に、温風を必ずしも必要としない場面であっても、その浄化能力と吸引能力を活かし、本発明の温風発生装置１を、汚染除去などの様々な用途に用いることができる。
【図面の簡単な説明】
【００４４】
【図１】本発明の温風発生装置を建物の内部に設置してベイクアウトの作業を行う様子を示す図である。
【図２】本発明に係る温風発生装置の概略構成を示す図である。
【図３】本発明の異なる温風発生装置の概略構成を示す図である。
【図４】本発明のさらに異なる温風発生装置の概略構成を示す図である。
【図５】本発明の温風発生装置を用いた土地の浄化システムの概略構成を示す図である。
【図６】図５に示した土地の浄化システムの温風発生装置の周辺を示す図である。
【図７】従来の温風発生装置の概略構成を示す図である。
【符号の説明】
【００４５】
１、１ａ、１ｂ    温風発生装置
３    ハウジング
４    隙間
５    燃焼室
６    温風の吹出し口
８    バーナ
１０    ブロワー
１１    燃料ポンプ
１２    送風ファン
３０    触媒ユニット
３９    風路
４０    輻射板
７１    燃焼ガス
７２    外気
７３    温風
７９    ＶＯＣ
７９ａ    有害ガス
８０    土地の浄化システム
８１    テント
【図１】
2004317107.tif 000003
【図２】
2004317107.tif 000004
【図３】
2004317107.tif 000005
【図４】
2004317107.tif 000006
【図５】
2004317107.tif 000007
【図６】
2004317107.tif 000008
【図７】
2004317107.tif 000009